【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
プロセッサと、
送電網（２０２）から情報（４０６）を受信し、前記情報（４０６）からイベント（４０８）を識別し、
前記イベント（４０８）を分類し、前記イベント（４０８）の分類に基づき動作を開始するか否かを判断し、
前記動作を開始する判断に応じて前記動作を開始し、
前記イベントが結果として生じる他の動作を起こすメッセージが、予測されるメッセージであるか否かを判断し、
前記イベントが正常なイベントであるか否かを判断し、前記メッセージが前記予測されるメッセージであるか否か及び前記イベントが前記正常なイベントであるか否かに基づいて、前記イベントを分類する
ように構成されたエージェント（４００）と
を備える装置。
【請求項２】
前記動作を開始する判断に応じて前記動作を開始するように構成されている前記エージェント（４００）は、前記動作を識別し、前記動作を開始する判断に応じて前記識別された動作を開始するように構成されている、請求項１に記載の装置。
【請求項３】
前記イベント（４０８）が、正常な予測されるイベント（４３０）、異常な予測されるイベント（４３２）、正常な予測されないイベント（４３４）、及び異常な予測されないイベント（４３６）のうちの一つとして分類されており、前記エージェント（４００）は、前記イベント（４０８）が前記異常な予測されないイベント（４３６）として分類されたことに応じて、前記動作を開始するか否かを判断するように構成されている、請求項１に記載の装置。
【請求項４】
前記イベント（４０８）を分類するように構成されているエージェント（４００）は、別の動作を起こさせ、その結果前記イベント（４０８）が発生するメッセージ（４２０）は予測されるメッセージ（４２０）であるかを判断し、前記イベント（４０８）が正常なイベント（４０８）であるかを判断し、前記イベント（４０８）を、前記メッセージ（４２０）が予測されるメッセージ（４２０）であるか否か、また前記イベントが前記正常なイベント（４０８）であるか否かに基づいて分類するように構成されている、請求項１に記載の装置。
【請求項５】
前記エージェント（４００）はさらに、前記情報（４０６）のメッセージ（４２０）であって、前記イベント（４０８）の原因である前記メッセージ（４２０）を識別するように構成されており、前記イベント（４０８）の前記分類に基づき前記動作を開始するか否かを判断するように構成されている前記エージェント（４００）は、前記イベント（４０８）の前記分類に基づき、また前記メッセージ（４２０）の発信元に基づき前記動作を開始するか否かを判断するように構成されており、前記メッセージ（４２０）は、コマンド（４２２）及び要求（４２４）のうちの一つから選択され、前記エージェント（４００）は、前記イベント（４０８）が異常な予測されないイベント（４３６）として分類され、前記メッセージ（４２０）の発信元が前記送電網（２０２）外のものである時に前記動作が必要かを判断するように構成されている、請求項１に記載の装置。
【請求項６】
前記送電網（２０２）のノードであって、前記エージェント（４００）が関連付けられている前記ノードと、
前記送電網（２０２）の任意の数のライン（２３３）であって、電力（２１４）を送るように構成されている前記任意の数のライン（２３３）と、
前記送電網（２０２）の複数のノード（２２４）であって、前記任意の数のライン（２３３）で送られる前記電力（２１４）を制御するように構成されている前記複数のノード（２２４）と、
前記情報（４０６）を送るように構成されている通信ネットワーク（２０４）と、
前記複数のノード（２２４）に関連付けられた任意の数のエージェント（２２６）であって、前記通信ネットワーク（２０４）を使用して相互に通信するように構成されており、前記送電網（２０２）の前記複数のノード（２２４）を回路に構成し、前記回路を介して前記電力（２１４）の前記回路に関連付けられた任意の数の負荷への送達を制御し、メッセージ（８２４）を生成するように構成されている前記任意の数のエージェント（２２６）と
をさらに備え、
前記エージェント（４００）は、前記送電網（２０２）から前記情報（４０６）を受信し、前記情報から前記イベント（４０８）を識別し、前記イベントを分類するように構成されているクラシファイヤー（４０２）と、前記イベント（４０８）の前記分類に基づき前記動作を開始するか否かを判断し、前記動作を開始する判断に応じて前記動作を開始するように構成されているアナライザー（４０４）
を含む、請求項１に記載の装置。
【請求項７】
前記送電網（２０２）の複数のノード（２２４）であって、前記送電網（２０２）内の任意の数のライン（２３３）で送られる電力（２１４）を制御するように構成されている前記複数のノード（２２４）と、
情報（４０６）を送るように構成されている通信ネットワーク（２０４）と、
前記複数のノード（２２４）に関連付けられた任意の数のエージェント（２２６）であって、前記通信ネットワーク（２０４）を使用して相互に前記情報を送るように構成されている前記任意の数のエージェント（２２６）
をさらに含み、前記エージェント（４００）が前記任意の数のエージェント（２２６）である、請求項１に記載の装置。
【請求項８】
前記動作を開始する判断に応じて前記動作を開始するように構成されている前記エージェント（４００）は、前記動作を識別し、前記動作を開始する判断に応じて識別された前記動作を開始するように構成されており、前記イベント（４０８）は、正常な予測されるイベント（４３０）、異常な予測されるイベント（４３２）、正常な予測されないイベント（４３４）、及び異常な予測されないイベント（４３６）のうちの一つとして分類され、前記エージェント（４００）は、前記イベント（４０８）が前記異常な予測されないイベント（４３６）として分類されたことに応じて、前記動作を開始するように構成されており、前記エージェント（４００）はさらに、前記情報（４０６）のメッセージ（４２０）であって、前記イベント（４０８）の原因である前記メッセージ（４２０）を識別するように構成されており、前記イベント（４０８）の分類に基づき前記動作を開始するか否かを判断するように構成されている前記エージェント（４００）は、前記イベント（４０８）の前記分類に基づき、また前記メッセージ（４２０）の発信元に基づき前記動作を開始するか否かを判断するように構成されている、請求項７に記載の装置。
【請求項９】
送電網（２０２）の情報を処理する方法であって、
前記送電網（２０２）の任意の数のエージェント（２２６）から前記情報（４０６）を受信し、
前記情報（４０６）からイベント（４０８）を識別し、
前記イベント（４０８）を分類し、
前記イベント（４０８）の分類に基づき動作を開始するか否かを判断し、
前記動作を開始する判断に応じて前記動作を開始し、
前記情報（４０６）のメッセージであって、前記イベント（４０８）の原因である前記メッセージを識別することを含み、
前記イベント（４０８）の前記分類に基づき前記動作を開始するか否かを判断することが、
前記イベントの前記分類に基づいて、かつ前記メッセージの発信元に基づいて前記動作を開始するか否かを判断することを含み、前記メッセージがコマンド（４２２）及び要求（４２４）のうちの一つから選択される、
方法。
【請求項１０】
前記情報（４０６）のメッセージ（４２０）であって、前記イベント（４０８）の原因である前記メッセージ（４２０）を識別することをさらに含み、
前記イベント（４０８）の前記分類に基づき前記動作を開始するか否かを判断することが、
前記イベント（４０８）の前記分類に基づき、また前記メッセージ（４２０）の発信元に基づき前記動作を開始するか否かを判断することを含み、前記メッセージ（４２０）は、コマンド（４２２）及び要求（４２４）のうちの一つから選択され、
前記動作を開始する判断に応じて前記動作を開始することが、
前記動作を識別することと、
前記動作を開始する判断に応じて前記識別された動作を開始することとを含み、
前記イベント（４０８）は、正常な予測されるイベント（４０８）、異常な予測されるイベント（４３２）、正常な予測されないイベント（４３４）、及び異常な予測されないイベント（４３６）のうちの一つとして分類される、請求項９に記載の方法。
【手続補正２】
【補正対象書類名】明細書
【補正対象項目名】０２９１
【補正方法】変更
【補正の内容】
【０２９１】
種々の実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の実施形態は、他の好ましい実施形態に照らして別の利点を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
送電網（２０２）から情報（４０６）を受信し、前記情報（４０６）からイベント（４０８）を識別し、前記イベント（４０８）を分類し、前記イベント（４０８）の分類に基づき動作を開始するか否かを判断し、前記動作を開始する判断に応じて前記動作を開始するように構成されたエージェント（４００）
を備える装置。
（態様２）
前記動作を開始する判断に応じて前記動作を開始するように構成されている前記エージェント（４００）は、前記動作を識別し、前記動作を開始する判断に応じて前記動作を開始するように構成されている、態様１に記載の装置。
（態様３）
前記イベント（４０８）が、正常な予測されるイベント（４３０）、異常な予測されるイベント（４３２）、正常な予測されないイベント（４３４）、及び異常な予測されないイベント（４３６）のうちの一つとして分類されており、前記エージェント（４００）は、前記イベント（４０８）が前記異常な予測されないイベント（４３６）として分類されたことに応じて、前記動作を開始するか否かを判断するように構成されている、態様１に記載の装置。
（態様４）
前記イベント（４０８）を分類するように構成されているエージェント（４００）は、別の動作を起こさせ、その結果前記イベント（４０８）が発生するメッセージ（４２０）は予測されるメッセージ（４２０）であるかを判断し、前記イベント（４０８）が正常なイベント（４０８）であるかを判断し、前記イベント（４０８）を、前記メッセージ（４２０）が予測されるメッセージ（４２０）であるか否か、また前記イベントが前記正常なイベント（４０８）であるか否かに基づいて分類するように構成されている、態様１に記載の装置。
（態様５）
前記エージェント（４００）はさらに、前記情報（４０６）のメッセージ（４２０）であって、前記イベント（４０８）の原因である前記メッセージ（４２０）を識別するように構成されており、前記イベント（４０８）の前記分類に基づき前記動作を開始するか否かを判断するように構成されている前記エージェント（４００）は、前記イベント（４０８）の前記分類に基づき、また前記メッセージ（４２０）の発信元に基づき前記動作を開始するか否かを判断するように構成されており、前記メッセージ（４２０）は、コマンド（４２２）及び要求（４２４）のうちの一つから選択され、前記エージェント（４００）は、前記イベント（４０８）が異常な予測されないイベント（４３６）として分類され、前記メッセージ（４２０）の発信元が前記送電網（２０２）外のものである時に前記動作が必要かを判断するように構成されている、態様１に記載の装置。
（態様６）
前記送電網（２０２）のノードであって、前記エージェント（４００）が関連付けられている前記ノードと、
前記送電網（２０２）の任意の数のライン（２３３）であって、電力（２１４）を送るように構成されている前記任意の数のライン（２３３）と、
前記送電網（２０２）の複数のノード（２２４）であって、前記任意の数のライン（２３３）で送られる前記電力（２１４）を制御するように構成されている前記複数のノード（２２４）と、
前記情報（４０６）を送るように構成されている通信ネットワーク（２０４）と、
前記複数のノード（２２４）に関連付けられた任意の数のエージェント（２２６）であって、前記通信ネットワーク（２０４）を使用して相互に通信するように構成されており、前記送電網（２０２）の前記複数のノード（２２４）を回路に構成し、前記回路を介して前記電力（２１４）の前記回路に関連付けられた任意の数の負荷への送達を制御し、メッセージ（８２４）を生成するように構成されている前記任意の数のエージェント（２２６）と
をさらに備え、
前記エージェント（４００）は、前記送電網（２０２）から前記情報（４０６）を受信し、前記情報から前記イベント（４０８）を識別し、前記イベントを分類するように構成されているクラシファイヤー（４０２）と、前記イベント（４０８）の前記分類に基づき前記動作を開始するか否かを判断し、前記動作を開始する判断に応じて前記動作を開始するように構成されているアナライザー（４０４）
を含む、態様１に記載の装置。
（態様７）
前記送電網（２０２）の複数のノード（２２４）であって、前記送電網（２０２）内の前記任意の数のライン（２３３）で送られる電力（２１４）を制御するように構成されている前記複数のノード（２２４）と、
前記情報（４０６）を送るように構成されている通信ネットワーク（２０４）と、
前記複数のノード（２２４）に関連付けられた任意の数のエージェント（２２６）であって、前記通信ネットワーク（２０４）、及び前記任意の数のエージェント（２２６）のうちの前記エージェント（４００）を使用して相互に前記情報を送るように構成されている前記任意の数のエージェント（２２６）
をさらに含む、態様１に記載の装置。
（態様８）
前記動作を開始する判断に応じて前記動作を開始するように構成されている前記エージェント（４００）は、前記動作を識別し、前記動作を開始する判断に応じて識別された前記動作を開始するように構成されており、前記イベント（４０８）は、正常な予測されるイベント（４３０）、異常な予測されるイベント（４３２）、正常な予測されないイベント（４３４）、及び異常な予測されないイベント（４３６）のうちの一つとして分類され、前記エージェント（４００）は、前記イベント（４０８）が前記異常な予測されないイベント（４３６）として分類されたことに応じて、前記動作を開始するように構成されており、前記エージェント（４００）はさらに、前記情報（４０６）のメッセージ（４２０）であって、前記イベント（４０８）の原因である前記メッセージ（４２０）を識別するように構成されており、前記イベント（４０８）の分類に基づき前記動作を開始するか否かを判断するように構成されている前記エージェント（４００）は、前記イベント（４０８）の前記分類に基づき、また前記メッセージ（４２０）の発信元に基づき前記動作を開始するか否かを判断するように構成されている、態様７に記載の装置。
（態様９）
送電網（２０２）の情報を処理する方法であって、
前記送電網（２０２）の任意の数のエージェント（２２６）から前記情報（４０６）を受信し、
前記情報（４０６）からイベント（４０８）を識別し、
前記イベント（４０８）を分類し、
前記イベント（４０８）の分類に基づき動作を開始するか否かを判断し、
前記動作を開始する判断に応じて前記動作を開始する
ことを含む方法。
（態様１０）
前記情報（４０６）のメッセージ（４２０）であって、前記イベント（４０８）の原因である前記メッセージ（４２０）を識別することをさらに含み、
前記イベント（４０８）の前記分類に基づき前記動作を開始するか否かを判断することが、
前記イベント（４０８）の前記分類に基づき、また前記メッセージ（４２０）の発信元に基づき前記動作を開始するか否かを判断することを含み、前記メッセージ（４２０）は、コマンド（４２２）及び要求（４２４）のうちの一つから選択され、
前記動作を開始する判断に応じて前記動作を開始することが、
前記動作を識別することと、
前記動作を開始する判断に応じて前記識別された動作を開始することとを含み、
前記イベント（４０８）は、正常な予測されるイベント（４０８）、異常な予測されるイベント（４３２）、正常な予測されないイベント（４３４）、及び異常な予測されないイベント（４３６）のうちの一つとして分類される、態様９に記載の方法。